(57)【要約】【課題】ごみの分別を促進するためのごみ箱を提供することを目的とする。【解決手段】ごみ箱１は、ごみ投入口３３とそれを覆う可動蓋３、さらに隣にはスピーカー６が設けられている。また、上面にはランプ５が設けられており、スピーカー６とともに収集対象のプラスチック以外のごみが投棄された際にごみ投棄者に警告する。可動蓋３は、重量センサ７により人物の存在を検知した場合に自動的に開放される。また、本体２の上方にはカメラユニット８が配置され、ごみ投棄者の顔画像を撮像し、警告にも関わらず収集対象でないプラスチック以外のごみを投棄したごみ投棄者の顔画像データは、ＬＡＮを経由してサーバーへ送信され記録される。【選択図】図１
2008168951.tif 000002
【特許請求の範囲】
【請求項１】
ごみ投棄者の顔画像を撮像する撮像手段と、
前記顔画像を記録する画像記録手段と、
投棄されたごみのごみ種別を識別するごみ種別識別手段とを設け、
前記ごみ種別がごみ箱の収集対象でない場合に前記画像記録手段により前記顔画像を記録することを特徴とするごみ箱。
【請求項２】
前記画像記録手段により前記顔画像を記録するに先立って、ごみ投棄者に対して警告する警告手段を設けたことを特徴とする請求項１記載のごみ箱。
【請求項３】
ごみ投入口を覆う蓋と、
前記撮像手段の撮像領域内で、ごみ箱の近くにいる人物を検知する人物検知手段と、
前記人物検知手段により人物を検知した場合に前記蓋を開放する蓋駆動手段とを設けたことを特徴とする請求項１または２記載のごみ箱。
【請求項４】
前記人物検知手段は、重量検知センサであることを特徴とする請求項３記載のごみ箱。
【請求項５】
ごみ投入口から投棄されたごみを保留する保留収納室と、
前記ごみを分別して収納するための２つのごみ収納部と、
前記保留収納室に保留されたごみのごみ種別を識別するごみ種別識別手段と、
前記ごみ種別に基づいてごみを前記２つのごみ収納部に振り分けるごみ振り分け手段とを設けたことを特徴とするごみ箱。
【請求項６】
前記ごみ振り分け手段は、前記２つのごみ収納部の上面に設けられた開口を上方から覆うように配置され、主面を二分する水平軸を中心として回動自在に組み付けられた前記保留収納室の底板と、
前記保留収納室の底板を何れかの方向に回動させて前記２つのごみ収納部のうち一方に向かって傾斜させる底板駆動手段とからなることを特徴とする請求項５記載のごみ箱。
【発明の詳細な説明】
【技術分野】
【０００１】
本発明は、ごみの分別を促進するためのごみ箱に関する。
【背景技術】
【０００２】
近年、大気汚染などの地球環境の悪化とともに廃品のリサイクルが重要度を増しており、各自治体・企業などではごみの分別が徹底されている。このような背景のもと、効率的にごみを分別収集するための様々なごみ箱が提案されている。
【０００３】
例えば特許文献１では、複数のごみ投入口が形成された投入アタッチメントを上部に取り付けたごみ箱において、この投入アタッチメントとごみ箱との間に、投入アタッチメントのごみ投入口に対応して複数のごみ袋の上縁部が係止される分割アタッチメントを介設したことにより、投入アタッチメントを介して多種類のごみの分別廃棄が可能とした分別式ごみ箱が提案されている。
【０００４】
また、分別以前の問題として、ごみをごみ箱に捨てるマナーを向上するためのごみ箱も提案されている。例えば特許文献２及び３では、ごみ箱に人気キャラクター等の装飾を施し、ごみ投入時に音声や光を発することで、主として子供がごみ箱へのごみ投棄を進んで行うように工夫されたごみ箱が提案されている。
【特許文献１】特開２００６−３２７７５１号公報
【特許文献２】特開平８−６７３０３号公報
【特許文献３】特開平９−７７２０１号公報
【発明の開示】
【発明が解決しようとする課題】
【０００５】
しかしながら、２００１年９月１１日に起こったアメリカ同時多発テロ事件を契機とするテロ行為への警戒強化のため、最近では駅や施設からごみ箱が撤去されることが少なくない。このような事態は、テロ行為を防止する反面、ごみの放置や未分別といったマナーの低下という問題も生み出している。さらに、ごみの未分別に関しては、ごみの分別に対する意識の低さから、ごみの材質がわからない等の知識の欠如も要因の一つであると考えられている。
【０００６】
本発明は、上記課題を解決するためになされたもので、ごみの分別を促進するためのごみ箱を提供することを目的とする。
【課題を解決するための手段】
【０００７】
上記課題を解決するために、本発明のごみ箱は、ごみ投棄者の顔画像を撮像する撮像手段と、前記顔画像を記録する画像記録手段と、投棄されたごみのごみ種別を識別するごみ種別識別手段とを設け、前記ごみ種別がごみ箱の収集対象でない場合に前記画像記録手段により前記顔画像を記録する。ここで、前記画像記録手段により前記顔画像を記録するに先立って、ごみ投棄者に対して警告する警告手段を設けてもよい。
【０００８】
前記ごみ箱は、ごみ投入口を覆う蓋と、前記撮像手段の撮像領域内で、ごみ箱の近くにいる人物を検知する人物検知手段と、前記人物検知手段により人物を検知した場合に前記蓋を開放する蓋駆動手段とを有しても良い。ここで、前記人物検知手段として重量検知センサを用いても良い。
【０００９】
また、ごみ箱に、ごみ投入口から投棄されたごみを保留する保留収納室と、前記ごみを分別して収納するための２つのごみ収納部と、前記保留収納室に保留されたごみのごみ種別を識別するごみ種別識別手段と、前記ごみ種別に基づいてごみを前記２つのごみ収納部に振り分けるごみ振り分け手段とを設けてもよい。ここで、前記ごみ振り分け手段は、前記２つのごみ収納部の上面に設けられた開口を上方から覆うように配置され、主面を二分する水平軸を中心として回動自在に組み付けられた前記保留収納室の底板と、前記保留収納室の底板を何れかの方向に回動させて前記２つのごみ収納部のうち一方に向かって傾斜させる底板駆動手段とから構成しても良い。
【発明の効果】
【００１０】
このような撮像手段を設けたごみ箱によって、ごみ投棄者を監視できるため、ごみ投棄者のマナーを向上させることができる。また、収集対象のごみでない場合にごみ投棄者に警告するため、ごみ投棄者は投棄したごみが収集対象でないことを知り、顔画像を記録される前にごみを取り除くことができる。さらに、人の接近を検知して蓋を自動で開くことにより、利便性を向上させると同時に、顔画像を記録されることを避けて遠方からごみを投げ入れる等の悪辣な行為を防止することができる。
【００１１】
また、ごみ種別に応じて異なる場所にごみを収納するようにすることで、マナーの悪いごみ投棄者が収集対象でないごみを投棄した場合であっても、ごみを分別することができ、ごみ回収作業の効率を向上させることができる。したがって、本発明のごみ箱の使用は、ごみ分別を促進するという効果を奏する。
【発明を実施するための最良の形態】
【００１２】
図１に本発明のごみ箱を示して説明する。なお、本実施形態では、ごみ箱１が収集対象とするごみ種別を、例として、プラスチックとしている。ごみ箱１は、略直方体形状の本体１の上部に傾斜面を有しており、この傾斜面にごみ投入口３３とそれを覆う可動蓋３、さらに隣にはスピーカー６が設けられている。また、上面にはランプ５が設けられており、スピーカー６とともに収集対象のプラスチック以外のごみが投棄された際に音声出力と点灯によってごみ投棄者に警告する警告手段として機能する。
【００１３】
可動蓋３は、本体２の正面側の床に設置された重量センサ７により人物の存在を検知した場合に自動的に開放される。本体２と重量センサ７は、センサ接続ケーブル１１により電気的に接続されている。これにより、後述するカメラユニット８で顔を撮影されることを避けるために、離れた場所からごみ箱１にごみを投げ入れるような行為を防止する。なお、重量センサ７は、ごみ箱１の意匠的な美観の観点からマット１４で覆われている。
【００１４】
本体１の前面には前面扉４が設けられており、鍵穴３４に対応する鍵を入れてロックを解除した後、取っ手１５を引くことで開放することができる。後述するように、本体２の内部にはごみを収納するための収納ボックス２８（図２、図３参照）が備えられており、前面扉４を開放して外に取り出すことで溜まったごみを回収することができる構造になっている。
【００１５】
また、本体２の上方にはごみ投棄者の撮像手段としてカメラユニット８が配置されている。カメラユニット８は取り付け部１０によって本体２上方の壁等に取り付けられ、ごみ投棄者の顔画像を撮像する。本体２とカメラユニット８は、カメラ接続ケーブル１２により電気的に接続されており、カメラユニット８が撮像した顔画像を本体２へ送信することができるようになっている。
【００１６】
本体２の側面にはＬＡＮケーブル１３が接続されており、後述するようにＬＡＮ（Ｌｏｃａｌ  Ａｒｅａ  Ｎｅｔｏｗｏｒｋ）５０を介して顔画像を記録し保管するサーバー５１と接続されている（図６参照）。本体２は、警告にも関わらず収集対象でないプラスチック以外のごみを投棄したごみ投棄者の顔画像データを、ＬＡＮ５０を経由してサーバー５１へ送信して記録する。
【００１７】
次に図２及び図３を用いて本体２の内部構造について説明する。可動蓋３の奥の背面側には、ごみ箱１の各機能を制御する回路を実装した回路基板１６が、本体２背面と対向するように取り付けられている。回路基板６は、挿通孔３１ａ、３１ｂ、３１ｃを通して本体２内部に引き込まれているカメラ接続ケーブル１２とセンサ接続ケーブル１１とＬＡＮケーブル１３の各々と対応するコネクタ３０ａ、３０ｂ、３０ｃを介して電気的に接続されている。また、本体２の背面にある挿通孔３１ｄからは電源ケーブル２９が引き込まれており、コネクタ３０ｄを介して回路基板６へ電源を供給している。回路基板６と各ケーブル１１、１２、１３、２９は本体２の背面側に配置・配設されており、背面と平行な遮蔽板２７ｃによって可動板２６・収納ボックスなどのある部分と区切られている。なお、カメラユニット８と重量センサ７への電源供給は、それぞれカメラ接続ケーブル１２とセンサ接続ケーブル１１を介して行われる。
【００１８】
可動蓋３は、本体２の左上部に備える第一モータ保持部１９に保持された第一モータ１８と回転軸部分において軸着され、さらに、その軸着した部分の反対側にある第一保持軸２０を本体２の右上部に備える第一軸受け２１に挿入するように取り付けられている。第一モータ１８は、回路基板１６と図示しない配線を介して電気的に接続されており、回路基板１６からの指示信号に従っていずれかの方向に所定量だけ駆動し、可動蓋３を開放あるいは閉塞する。
【００１９】
本体２の下部には、上面が開口しており、鉛直方向に設けた仕切り２８ｃにより第一収納部２８ａと第二収納部２８ｂに仕切られたごみ収納ボックス２８が備えられている。第一及び第二収納部２８ａ、２８ｂは、投棄されたごみのごみ種別が収集対象のプラスチックであるか否かに基づいて分別するために設けられている。第一収納部２８ａはプラスチックを収納し、第二収納部２８ｂはそれ以外のごみを収納する。収納ボックス２８は、前面扉４を開いて、手前に引き出すことができ、これにより第一及び第二収納部２８ａ、２８ｂに溜まったごみを回収することができる。なお、本実施形態のような２つの収納部を設けた収納ボックス２８を使わずとも、半分程度の大きさを有した２つの収納ボックスを用いても良い。
【００２０】
ごみ収納ボックス２８の上方には第一及び第二収納部２８ａ、２８ｂの開口を覆うように、平板形状の可動板２６が設けられている。可動板２６は、ごみ投入口３３のすぐ内側にある保留収納室５５の底板であり、投棄されたごみは一時的に保留収納室５５に収納される。可動板２６は、本体２の右中央部に備える第二モータ保持部２２に保持された第二モータ２３と側面の中央部において軸着されており、さらに、その軸着部分の反対側にある第二保持軸２４を本体２の右上部に備える第二軸受け２５に挿入するように取り付けられているため、主面を二分する水平軸を中心として回動することができる。第二モータ２３は、回路基板１６と図示しない配線を介して電気的に接続されており、回路基板１６からの指示信号に従って何れかの方向に所定量だけ駆動することで、可動板２６を、前述した第一収納部２８ａと第二収納部２８ｂの何れか一方に向かって傾斜させることができるようになっている。したがって、可動板２６の上にあるごみを、後述するプラスチック検知器１７の識別したごみ種別に基づいて、第一収納部２８ａあるいは第二収納部２８ｂに振り分けて収納することができる。このため、ごみ投棄者が警告に従わずにプラスチック以外のごみを投棄した場合であっても、分別して収納することができるので、ごみの回収効率を向上することができる。なお、背面側と同様に側面側も遮蔽板２７ａ、２７ｂを設けて、第一及び第二モータ１８、２３や第一及び第二軸受け２１、２５を仕切っている。
【００２１】
可動板２６の奥の背面側には、保留収納室５５内のごみのごみ種別がプラスチックであるか否かを識別するためのプラスチック検知器１７が備えられている。プラスチック検知器１７は、分析対象であるごみに近赤外線を照射する近赤外線ランプ１７ｂ、１７ｂと、このランプの発光の際、ごみから反射してきた光を分光し、その反射スペクトルを解析してプラスチックか否かを判定する分光解析器１７ａとからなる。プラスチック検知器１７は、遮蔽板２７ｃの背面側にある支持板３２の上に載置されており、遮蔽板２７ｃの開口から近赤外線ランプ１７ｂ、１７ｂの発光面と分光解析器１７ａの集光レンズを露呈させている。また、図示しないがプラスチック検知器１７、ランプ５、スピーカー６は回路基板１６と配線を介して電気的に接続されている。
【００２２】
次に図４を用いてごみ箱１の電気的構成と機能を説明する。重量センサ７は、人物検知手段として機能するもので、人物が載ることで所定以上の重量を検知して主制御部３５へ通知する。第一モータ１８は可動蓋３の駆動手段として機能する。主制御部３５は、重量センサ７により人物を検知した通知を受けると第一モータ１８に指示信号を送って可動蓋３を開放する。一方、重量センサ７で人物を検知しなくなった場合には、ごみ投棄が完了したものとして第一モータ１８に指示信号を送って可動蓋３を閉塞する。可動蓋３は、その他、後述するようにプライスチック以外のごみが投棄された場合も開閉される。
【００２３】
プラスチック検知器１７は、ごみ種別識別手段として機能するもので、保留収納室５５内にあるごみが収集対象であるプラスチックか否かを識別して、主制御部３５に通知する。主制御部３５は、ごみ種別がプラスチックである場合は第二モータを駆動して可動板２６を傾斜させ、ごみを第一収納部２８ａへ落下させる。ごみ種別がプラスチックでない場合は、ランプ５を点灯させるとともに、警告メッセージの音声をスピーカー６へ出力する。警告メッセージとしては、例えば「あなたが捨てたごみはプラスチックではありません。至急、撤去してください。」としてもよい。また、ランプ５は、目立つように赤色を使用するのが良い。このように、収集対象でないごみを投棄したごみ投棄者に警告することで、ごみ投棄者は、顔画像を記録される前に投棄したごみが収集対象でないことを知ることができる。なお、警告メッセージの出力は１度だけ行うようにしてもよいし、所定回数繰り返し行うようにしてもよい。また、ランプ５は、警告メッセージを出力している間、点灯するのがよい。
【００２４】
タイマー２６は、プラスチック検知器１７がプラスチック以外のごみ種別を識別したことを契機として計時を開始する。主制御部３５は、タイマー２６の満了を受けて、可動蓋３を閉じるように第一モータ１８へ指示信号を送る。さらに、プラスチック以外のごみが投棄されたまま取り除かれていない場合、第二収納部２８ｂ側へ可動板２６を傾斜させるように第二モータ２３へ指示信号を送り、また、画像メモリ３７に保存したごみ投棄者の顔画像データを読み出して、通信処理部３８を介してサーバー５１へ送信し記録する。第二モータ２３は可動板２６を駆動する駆動手段であり、可動板２６とともに、主制御部３５からの指示信号に従ってごみを対応する収納部２８ａ、２８ｂに振り分けるためのごみ振り分け手段として機能する。
【００２５】
カメラユニット８は、詳しい構成は後述するが、ごみ投棄者の顔画像を撮像して顔画像データを主制御部３５へ送信する。また、主制御部３５は、重量センサ７が人物を検知したことを受けて、カメラユニット８へ撮像開始の指示信号を送信する。カメラユニット８は、失敗撮影を考慮して複数の顔画像を撮像するか、もしくは動画像として所定時間撮像してもよい。
【００２６】
画像メモリ３７は、カメラユニット８で撮像した顔画像データを一時的に保存するための揮発性メモリで、例えばＳＤＲＡＭ（Ｓｙｎｃｈｒｏｎｏｕｓ  Ｄｙｎａｍｉｃ  ＲＡＭ）などで実現される。主制御部３５は、カメラユニット８から受信した顔画像データを画像メモリ３７に一時的に保存して、後述するように一連の処理が終了した後、画像メモリ３７から削除する。
【００２７】
通信処理部３８は、図６のようにＬＡＮケーブル１３でＬＡＮ５０を経由して接続したサーバー５１との通信を処理する通信手段である。主制御部３５は、ごみ投棄者が収集対象外のごみを投棄した際、ランプ５とスピーカー６で警告を発し、所定時間経過後もごみをごみ箱から取り除かない場合、画像メモリ３７に保存されたごみ投棄者の顔画像を、通信処理部３８を介してサーバー５１へと送信して記録する。サーバー５１は、複数台のごみ箱１と接続されており、各ごみ箱から送信されてくる顔画像をハードディスク等に記録して一括管理する。ごみ箱にはそれぞれ認識のためのＩＤが割り振られており、サーバー５１は、顔画像を、このＩＤと撮影した日付・時刻とに関連付けて保管する。したがって、これにより分別を正しく行わなかったごみ投棄者を特定して、ごみの分別に関する指導などを行うことができ、ごみ分別のマナーの向上を図ることができる。なお、本実施形態は屋内にごみ箱を設置することを前提としているが、屋外に設置する場合はＬＡＮケーブル１３を用いてＬＡＮ５０に接続する環境を構築するのは難しいため、このような場合は無線ＬＡＮによる接続や電力線を介したＬＡＮ接続環境を適用するのが望ましい。
【００２８】
主制御部３５は、ごみ箱１の動作を統括制御し、各部に指示信号を送信し、逆に各部より信号を受けて適当な処理を行うものである。主制御部３５は、ＣＰＵなどのプロセッサで実現され、フラッシュＲＯＭなどの不揮発性メモリであるメインＲＯＭ３９からプログラムを読み込んで動作する。
【００２９】
次にカメラユニット８の構成と機能を説明する。図５のように、カメラユニット８はデジタルカメラの構成を有している。カメラユニット８の前面には、周知のように撮影レンズ９が配置されている。この撮影レンズ９は、モータ、モータドライバ、駆動機構等を含むレンズ駆動部４０によって光軸方向に移動される。このレンズ駆動部４０は、主制御部３５からの設定信号に基づいた撮影動作制御部４７からの指示信号により駆動されるが、ごみ箱１の設置後にレンズの位置調整をした後は駆動されることはない。撮影レンズ３の光軸方向の背後には、撮影光路を開閉するメカニカルシャッター４１が配置されている。撮影動作制御部４７は主制御部３５からの撮影指示信号を受信した時、このメカニカルシャッター４１を適当なタイミングで開閉する。
【００３０】
メカニカルシャッター４１の光軸方向の背後には、撮像素子として、ＣＣＤ４２が配置されている。このＣＣＤ４２は、撮影レンズ９を透過して受光面上に結像された被写体光を電気的な撮像信号に変換し、駆動回路４４から供給される転送パルスに基づいてＣＤＳ（相関二重サンプリング）回路４３に出力する。なお、撮像素子には、ＣＣＤ４２に代えてＣＭＯＳセンサを用いてもよい。
【００３１】
ＣＤＳ回路４３は、駆動回路４４から出力された駆動パルスに基づいて駆動され、ＣＣＤ４２から出力された撮像信号のノイズを低減してＡ／Ｄ変換回路４５へ出力する。なお、この駆動回路４４の駆動パルスは撮影動作制御部４７からのパルス信号に同期している。Ａ／Ｄ変換回路４５は、入力されたアナログの撮像信号をデジタルの画像データに変換し、撮影動作制御部４７へ出力する。画像データは各種画像処理を施されて圧縮伸長部４６へ出力される。圧縮伸長部４６は、入力された画像データを圧縮してＪＰＥＧ等のデータ形式に変換し、撮影動作制御部４７がこの圧縮済みの画像データを読み出して、主制御部３５へと送信する。
【００３２】
次に図７を用いてごみ箱１の作用効果を説明する。重量センサが人物を検知（ＯＮ）すると（ｓｔ１）、主制御部３５はカメラユニット８に指示信号を送ってごみ投棄者の顔画像を撮影し、受信した顔画像データを画像メモリ３７へ一時的に保存する（ｓｔ２）。その後、第一モータ１８に指示信号を送り可動蓋３を開放する（ｓｔ３）。その後、重量センサが人物を検知しなくなると（ｓｔ４）、ごみ投棄が完了したものとみなして第一モータ１８に指示信号を送り可動蓋３を閉塞する（ｓｔ５）。
【００３３】
その後、プラスチック検知器１７により投棄されたごみのごみ種別を識別する。ごみ種別がプラスチックである場合（ｓｔ６）、第二モータ２３に指示信号を送り可動板２６を第一収納部２８ａ側へ傾斜させて、ごみを第一収納部２８ａに収納し（ｓｔ１５）、顔画像データを画像メモリ３７から削除する（ｓｔ１６）。
【００３４】
一方、ごみ種別がプラスチック以外である場合（ｓｔ６）、ごみを取り除くことができるように第一モータ１８に指示信号を送って可動蓋３を開放し（ｓｔ７）、タイマーの計時を開始する（ｓｔ８）。そして、タイマーが満了するまで、ランプ６とスピーカーによりごみ投棄者に警告し続ける（ｓｔ９、ｓｔ１０）。タイマー満了後、第一モータ１８に指示信号を送り可動蓋３を閉塞し（ｓｔ１１）、再びプラスチック検知器１７によりごみ種別を識別して、プラスチック以外のごみがあるかを確認する（ｓｔ１２）。ごみ投棄者が警告に従ってプラスチック以外のごみを取り除いていた場合は、第二モータ２３に指示信号を送り可動板２６を第一収納部２８ａ側へ傾斜させて、ごみを第一収納部２８ａに収納し（ｓｔ１５）、顔画像データを画像メモリ３７から削除する（ｓｔ１６）。
【００３５】
一方、ごみ投棄者が警告に従わずにプラスチック以外のごみをそのまま放置していた場合は、第二モータ２３に指示信号を送り可動板２６を第二収納部２８ｂ側へ傾斜させて、ごみを第二収納部２８ｂに収納し（ｓｔ１３）、顔画像データを画像メモリ３７から読み出して通信処理部３８からサーバー５１へ送信し記録する（ｓｔ１４）。その後、顔画像データを画像メモリ３７から削除する（ｓｔ１６）。
【００３６】
このようなごみ箱１により、ごみ投棄者のマナーを向上させるとともに、ごみの回収効率を向上させ、ごみ分別を促進することができる。本実施形態では人物検知手段として重量センサ７を用いているが、これに限られるものではなく、例えば自動ドアなどで用いられている光電センサを用いることもできる。さらに、人物検知手段を用いずとも、ごみ箱に蓋の開閉用のスイッチを設けても良い。
【００３７】
また、本実施形態では、カメラユニット８はごみ箱１の付属物となっているが、それぞれ独立のものとして構成することもできる。この場合、カメラユニットはネットワークを経由して直接にサーバーと接続され、顔画像を送信する。一方、ごみ箱は、分別せず警告に従わなかったごみ投棄者であるか否かの情報をサーバーに送信に通知し、サーバーはこの情報をもとに該当するごみ投棄者である場合のみ顔画像を保存して、そうでない場合は削除する。
【００３８】
さらに、本実施形態では、ごみ箱１の収集対象をプラスチックとしたが、金属などの多種類のものでも良い。例えば、金属を対象とするならば、プラスチック検知器１７に代えて金属検知器を用いる必要がある。なお、ごみ箱１の形状は、本実施形態に限られるものではなく、円筒状など一般に用いられている形状でも良い。
【図面の簡単な説明】
【００３９】
【図１】本発明のごみ箱を示す斜視図である。
【図２】本発明のごみ箱を示す正面方向の断面図である。
【図３】本発明のごみ箱を示す側面方向の断面図である。
【図４】ごみ箱の電気的構成である。
【図５】カメラユニットの電気的構成である。
【図６】ごみ箱とサーバーで構成するネットワークの一例を示す。
【図７】ごみ箱の動作フローである。
【符号の説明】
【００４０】
１  ごみ箱
３  可動蓋
５  ランプ
６  スピーカー
７  重量センサ
８  カメラユニット
１６  回路基板
１７  プラスチック検知器
１８  第一モータ
２３  第二モータ
２６  可動板
２８  収納ボックス
２８ａ  第一収納部
２８ｂ  第二収納部
２８ｃ  仕切り
３５  主制御部
３７  画像メモリ
３８  通信処理部
４２  ＣＣＤ
４７  撮影動作制御部
４８  判別部
５１  サーバー
５５  保留収納室
【図１】
2008168951.tif 000003
【図２】
2008168951.tif 000004
【図３】
2008168951.tif 000005
【図４】
2008168951.tif 000006
【図５】
2008168951.tif 000007
【図６】
2008168951.tif 000008
【図７】
2008168951.tif 000009